(57)【要約】      （修正有）【課題】さまざまな種類のドキュメントに亘って含まれ、ＰＣ等のディスプレイに表示されている文字列を、文書のコピー作業や目視での作業によらずに、容易に同時比較、差分認識可能とする、同一文字列視認性向上システムを提供する。【解決手段】同一文字列視認性向上システム１００は、ディスプレイ上の表示内容における処理対象のドキュメントに係る複数のウィンドウ等の全てを包含する領域を画像データ化して全体画像を得るイメージ変換手段１０と、全体画像をこれに含まれるウィンドウごとの小領域に分割する小領域認識手段２０と、各小領域画像中の文字認識を行い文字データを得る文字認識手段３０と、各文字データを保存する保存手段４０と、保存されている各文字データから文字列等を検索して同一文字列等を得る検索手段５０と、検索された同一文字列等に対して視認性向上処理を施す視認化手段６０とを備える。【選択図】図１
2017049736.tif 000002
【特許請求の範囲】
【請求項１】
コンピュータのディスプレイ表示内容における同一文字列等の視認性を高めるための視認性向上システムであって、処理対象のドキュメントに係るウィンドウの全てを包含する領域を画像データ化して全体画像データ（以下、単に「全体画像」）を得るイメージ変換手段と、該全体画像をこれに含まれるウィンドウごとの領域（以下、「小領域」）に分割して認識し小領域画像データ（以下、単に「小領域画像」）を得る小領域認識手段と、文字認識アルゴリズムを用いて各小領域画像中の文字認識を行い文字データを得る文字認識手段と、各文字データを保存する保存手段と、保存されている各文字データから特定の一文字、もしくは特定の複数文字からなる文字列（以下、これらを合わせて「文字列等」）を検索して同一文字列等を得る検索手段と、検索された該同一文字列等に対して視認性向上処理を施す視認化手段とを備えてなることを特徴とする、同一文字列視認性向上システム。
【請求項２】
前記各文字データは、前記小領域ごとにデータベース化されることを特徴とする、請求項１に記載の同一文字列視認性向上システム。
【請求項３】
各文字データは元の各小領域における位置情報とともに前記保存手段に保存されることを特徴とする、請求項１または２に記載の同一文字列視認性向上システム。
【請求項４】
前記視認化手段では、前記全体画像上の各小領域において、前記同一文字列等が各小領域の他の部分から識別された形態に処理されることを特徴とする、請求項１ないし３のいずれかに記載の同一文字列視認性向上システム。
【請求項５】
前記視認化手段では、前記全体画像上の各小領域において、前記同一文字列等が、前記位置情報に基づいて各小領域の他の部分から識別された形態に処理されることを特徴とする、請求項３に記載の同一文字列視認性向上システム。
【請求項６】
前記視認性向上処理は文字列等を強調する処理であることを特徴とする、請求項１ないし５のいずれかに記載の同一文字列視認性向上システム。
【請求項７】
前記文字列等を強調する処理は、文字列等の背景に色をつける処理（以下、「ハイライト処理」）、文字列等にアンダーラインを付す処理、または文字列等の色を変更する処理の少なくともいずれかであることを特徴とする、請求項６に記載の同一文字列視認性向上システム。
【請求項８】
前記視認化手段によって視認性向上処理のなされた全体画像をディスプレイ上に表示する出力手段を含むことを特徴とする、請求項１ないし７のいずれかに記載の同一文字列視認性向上システム。
【請求項９】
コンピュータのディスプレイ表示内容における同一文字列等の視認性を高めるための視認性向上方法であって、処理対象のドキュメントに係るウィンドウの全てを包含する領域を画像データ化して全体画像データ（全体画像）を得るイメージ変換過程と、該全体画像をこれに含まれるウィンドウごとの領域（小領域）に分割して認識し小領域画像データ（小領域画像）を得る小領域認識過程と、文字認識アルゴリズムを用いて各小領域画像中の文字認識を行い文字データを得る文字認識過程と、各文字データを保存する保存過程と、保存されている各文字データから特定の一文字、もしくは特定の複数文字からなる文字列（文字列等）を検索して同一文字列等を得る検索過程と、検索された該同一文字列等に対して視認性向上処理を施す視認化過程とを備えてなることを特徴とする、同一文字列視認性向上方法。
【請求項１０】
コンピュータにより実行可能なディスプレイ表示内容における同一文字列等の視認性を高めるための視認性向上プログラムであって、該プログラムは、処理対象のドキュメントに係る全てのウィンドウにおける同一文字列等の視認性向上処理を、下記の過程＜Ａ＞〜＜Ｆ＞によって、該コンピュータに機能させることを特徴とする、同一文字列視認性向上プログラム。
＜Ａ＞  処理対象のドキュメントに係るウィンドウの全てを包含する領域を画像データ化して全体画像データ（全体画像）を得るイメージ変換過程と、
＜Ｂ＞  該全体画像をこれに含まれるウィンドウごとの領域（小領域）に分割して認識し小領域画像データ（小領域画像）を得る小領域認識過程と、
＜Ｃ＞  文字認識アルゴリズムを用いて各小領域画像中の文字認識を行い文字データを得る文字認識過程と、
＜Ｄ＞  各文字データを保存する保存過程と、
＜Ｅ＞  保存されている各文字データから特定の一文字、もしくは特定の複数文字からなる文字列（文字列等）を検索して同一文字列等を得る検索過程と、
＜Ｆ＞  検索された該同一文字列等に対して視認性向上処理を施す視認化過程
【請求項１１】
請求項１０に記載の同一文字列視認性向上プログラムが記録された、コンピュータ読み取り可能な記録媒体。
【請求項１２】
請求項１０に記載の同一文字列視認性向上プログラムの格納された、または該プログラムを実行可能なコンピュータ。
【請求項１３】
請求項１ないし７のいずれかに記載の同一文字列視認性向上システムを用いた、ドキュメント間情報対照方法。
【発明の詳細な説明】
【技術分野】
【０００１】
本発明は同一文字列視認性向上システム、同一文字列視認性向上方法、同一文字列視認性向上プログラム、記録媒体、コンピュータ、およびドキュメント間情報対照方法に係り、特に、パーソナルコンピュータ（ＰＣ）等のディスプレイに表示した単独または複数のドキュメントから、同一の文字列を認識し、視認性を向上させることのできる、同一文字列視認性向上システム等に関するものである。
【背景技術】
【０００２】
ＰＣ等のディスプレイに表示した単独または複数のドキュメントから、同一の文字列を認識し、視認性を向上させたい場合がある。対象となる全てのドキュメントがテキストファイルであったり、あるいは全てのドキュメントが同種類のものである場合には、容易に差分認識が可能である。一方、対象となる複数のドキュメントがさまざまな種類のものである場合は、文書のコピー作業や目視での比較作業によって、これを行うことが可能である。
【０００３】
同一文字列等の視認性向上技術については従来、技術的な提案もなされている。たとえば後掲特許文献１には、ソースコードをインプットとして入力し解析を行う静的解析支援装置として、ソースファイルの静的解析によって得られる識別子ならびに警告箇所を含むソースコードの位置情報とを有するデータ行からなる警告テーブルに対して位置情報を参照してソースファイルから抽出したソースコード行を各データ行に追加する該当コード追加部と、および、識別子ならびにソースコード行を用い警告原因が関連するデータ行をグループ化するグループ化部とを備えた構成が開示されている。
【先行技術文献】
【特許文献】
【０００４】
【特許文献１】特許第５６６５１２８号公報「静的解析支援装置、静的解析支援方法、及びプログラム」
【発明の概要】
【発明が解決しようとする課題】
【０００５】
さて上述のとおり、さまざまな種類のドキュメントに亘って含まれ、ディスプレイに表示されている文字列を、同時に比較し差分認識するには、文書のコピー作業や目視での作業が必要である。これらの作業自体は可能なものだが、文書コピーは間違いが生じる可能性があり、一方、目視の作業では効率が悪い。つまり、ドキュメントの種類が異なる場合、各ドキュメント間の比較作業は容易なことではない。
【０００６】
そこで本発明が解決しようとする課題は、かかる従来技術の問題点をなくし、さまざまな種類のドキュメントに亘って含まれ、ＰＣ等のディスプレイに表示されている文字列を、文書のコピー作業や目視での作業によらずに、容易に同時比較、差分認識可能とする、同一文字列視認性向上システム、同一文字列視認性向上方法、同一文字列視認性向上プログラム、記録媒体、コンピュータ、およびドキュメント間情報対照方法を提供することである。
【０００７】
また本発明の課題は、ドキュメントの種類が一つである場合やドキュメントが一つである場合も含め、ＰＣ等のディスプレイに表示されているドキュメントから、同一の文字列を認識し、視認性を向上させることのできる、同一文字列視認性向上システム等を提供することである。
【課題を解決するための手段】
【０００８】
本願発明者は上記課題について検討した結果、各ドキュメントが表示されている画面をイメージ画像として捉え、文字認識アルゴリズム（ＯＣＲ）にて文字変換を行い、その後文字列の認識を行い、同一文字列の検索、ハイライト等視認性向上処理を行うことによって解決できることを見出し、これに基づいて本発明を完成するに至った。すなわち、上記課題を解決するための手段として本願で特許請求される発明、もしくは少なくとも開示される発明は、以下の通りである。
【０００９】
〔１〕  コンピュータのディスプレイ表示内容における同一文字列等の視認性を高めるための視認性向上システムであって、処理対象のドキュメントに係るウィンドウの全てを包含する領域を画像データ化して全体画像データ（以下、単に「全体画像」）を得るイメージ変換手段と、該全体画像をこれに含まれるウィンドウごとの領域（以下、「小領域」）に分割して認識し小領域画像データ（以下、単に「小領域画像」）を得る小領域認識手段と、文字認識アルゴリズムを用いて各小領域画像中の文字認識を行い文字データを得る文字認識手段と、各文字データを保存する保存手段と、保存されている各文字データから特定の一文字、もしくは特定の複数文字からなる文字列（以下、これらを合わせて「文字列等」）を検索して同一文字列等を得る検索手段と、検索された該同一文字列等に対して視認性向上処理を施す視認化手段とを備えてなることを特徴とする、同一文字列視認性向上システム。
〔２〕  前記各文字データは、前記小領域ごとにデータベース化されることを特徴とする、〔１〕に記載の同一文字列視認性向上システム。
〔３〕  各文字データは元の各小領域における位置情報とともに前記保存手段に保存されることを特徴とする、〔１〕または〔２〕に記載の同一文字列視認性向上システム。
【００１０】
〔４〕  前記視認化手段では、前記全体画像上の各小領域において、前記同一文字列等が各小領域の他の部分から識別された形態に処理されることを特徴とする、〔１〕ないし〔３〕のいずれかに記載の同一文字列視認性向上システム。
〔５〕  前記視認化手段では、前記全体画像上の各小領域において、前記同一文字列等が、前記位置情報に基づいて各小領域の他の部分から識別された形態に処理されることを特徴とする、〔３〕に記載の同一文字列視認性向上システム。
〔６〕  前記視認性向上処理は文字列等を強調する処理であることを特徴とする、〔１〕ないし〔５〕のいずれかに記載の同一文字列視認性向上システム。
〔７〕  前記文字列等を強調する処理は、文字列等の背景に色をつける処理（以下、「ハイライト処理」）、文字列等にアンダーラインを付す処理、または文字列等の色を変更する処理の少なくともいずれかであることを特徴とする、〔６〕に記載の同一文字列視認性向上システム。
【００１１】
〔８〕  前記視認化手段によって視認性向上処理のなされた全体画像をディスプレイ上に表示する出力手段を含むことを特徴とする、〔１〕ないし〔７〕のいずれかに記載の同一文字列視認性向上システム。
〔９〕  コンピュータのディスプレイ表示内容における同一文字列等の視認性を高めるための視認性向上方法であって、処理対象のドキュメントに係るウィンドウの全てを包含する領域を画像データ化して全体画像データ（全体画像）を得るイメージ変換過程と、該全体画像をこれに含まれるウィンドウごとの領域（小領域）に分割して認識し小領域画像データ（小領域画像）を得る小領域認識過程と、文字認識アルゴリズムを用いて各小領域画像中の文字認識を行い文字データを得る文字認識過程と、各文字データを保存する保存過程と、保存されている各文字データから特定の一文字、もしくは特定の複数文字からなる文字列（文字列等）を検索して同一文字列等を得る検索過程と、検索された該同一文字列等に対して視認性向上処理を施す視認化過程とを備えてなることを特徴とする、同一文字列視認性向上方法。
【００１２】
〔１０〕  コンピュータにより実行可能なディスプレイ表示内容における同一文字列等の視認性を高めるための視認性向上プログラムであって、該プログラムは、処理対象のドキュメントに係る全てのウィンドウにおける同一文字列等の視認性向上処理を、下記の過程＜Ａ＞〜＜Ｆ＞によって、該コンピュータに機能させることを特徴とする、同一文字列視認性向上プログラム。
＜Ａ＞  処理対象のドキュメントに係るウィンドウの全てを包含する領域を画像データ化して全体画像データ（全体画像）を得るイメージ変換過程と、
＜Ｂ＞  該全体画像をこれに含まれるウィンドウごとの領域（小領域）に分割して認識し小領域画像データ（小領域画像）を得る小領域認識過程と、
＜Ｃ＞  文字認識アルゴリズムを用いて各小領域画像中の文字認識を行い文字データを得る文字認識過程と、
＜Ｄ＞  各文字データを保存する保存過程と、
＜Ｅ＞  保存されている各文字データから特定の一文字、もしくは特定の複数文字からなる文字列（文字列等）を検索して同一文字列等を得る検索過程と、
＜Ｆ＞  検索された該同一文字列等に対して視認性向上処理を施す視認化過程
〔１１〕  〔１０〕に記載の同一文字列視認性向上プログラムが記録された、コンピュータ読み取り可能な記録媒体。
〔１２〕  〔１０〕に記載の同一文字列視認性向上プログラムの格納された、または該プログラムを実行可能なコンピュータ。
〔１３〕  〔１〕ないし〔７〕のいずれかに記載の同一文字列視認性向上システムを用いた、ドキュメント間情報対照方法。
【発明の効果】
【００１３】
本発明の同一文字列視認性向上システム、同一文字列視認性向上方法、同一文字列視認性向上プログラム、記録媒体、コンピュータ、およびドキュメント間情報対照方法は上述のように構成されるため、これらによれば、さまざまな種類のドキュメントに亘って含まれ、ＰＣ等のディスプレイに表示されている文字列を、文書のコピー作業や目視での作業によらずに、容易に同時比較、差分認識することができる。また、ドキュメントの種類が一つである場合やドキュメントが一つである場合も含め、ＰＣ等のディスプレイに表示されているドキュメントから、同一の文字列を認識し、ハイライト処理等の強調処理を用いて視認性を向上させることができる。
【００１４】
これにより、多数の文字列から同一の文字列を探す際の作業性、正確性を向上させることができる。本発明では、複数のアプリケーション間で文字列比較をする場合でも、ディスプレイに表示されている状態はあくまでも絵（画像、イメージ）であるため、文字認識アルゴリズムを活用することで、文字列化、データベース化することができる。たとえば部品リスト比較作業など、多数のディスプレイに多数のドキュメントを表示し、比較作業を行う必要がある場合に、特に大きな効果が得られる。  
【００１５】
なお、上記文献開示技術はあくまでも、ソースファイルの誤り発見支援ツールであり、ソースコードをインプットとして入力、解析を行う手法である。一方、本発明は、各ドキュメントをテキストデータではなく、画像として認識し、メディア（アプリケーション）の種別を意識することなく、容易に比較処理でき、ハイライト処理等の視認性向上を可能化するものであり、全く相違する。
【図面の簡単な説明】
【００１６】
【図１】本発明の同一文字列視認性向上システムの基本構成を示すブロック図である。
【図２】本発明の同一文字列視認性向上システム等における処理手順例を示す説明図である（Ｏ）。
【図３】本発明の同一文字列視認性向上システム等における処理手順例を示す説明図である（Ｓ１）。
【図４】本発明の同一文字列視認性向上システム等における処理手順例を示す説明図である（Ｓ２）。
【図５】本発明の同一文字列視認性向上システム等における処理手順例を示す説明図である（Ｓ３）。
【図６】本発明の同一文字列視認性向上システム等における処理手順例を示す説明図である（Ｓ４）。
【図７】本発明の同一文字列視認性向上システム等における処理手順例を示す説明図である（Ｓ５）。
【図８】本発明の同一文字列視認性向上システム等における処理手順例を示す説明図である（Ｓ６）。
【図９】本発明の同一文字列視認性向上システム等における処理手順例を示す説明図である（Ｐ）。
【図１０】本発明の同一文字列視認性向上方補の基本構成を示すフロー図である。
【発明を実施するための形態】
【００１７】
以下、図面により本発明を詳細に説明する。
図１は、本発明の同一文字列視認性向上システムの基本構成を示すブロック図である。また、
図２〜９は、本発明の同一文字列視認性向上システム等における処理手順例を示す説明図、図１０は、本発明の同一文字列視認性向上方補の基本構成を示すフロー図である。これらに示すように本発明同一文字列視認性向上システム１００は、コンピュータのディスプレイ９上の表示内容における同一文字列等の視認性を高めるためのシステムであって、処理対象の一または複数のドキュメントに係るウィンドウ１Ａ、１Ｂ等の全てを包含する領域を画像データ化して全体画像データ（全体画像）１Ｈを得るイメージ変換手段１０と、全体画像１Ｈをこれに含まれるウィンドウごとの領域（小領域）に分割して認識し小領域画像データ（小領域画像）２Ａ、２Ｂ等を得る小領域認識手段２０と、文字認識アルゴリズムを用いて各小領域画像２Ａ、２Ｂ等中の文字認識を行い文字データ３Ａ、３Ｂ等を得る文字認識手段３０と、各文字データ３Ａ、３Ｂ等を保存する保存手段４０と、保存されている各文字データ３Ａ、３Ｂ等から特定の一文字、もしくは特定の複数文字からなる文字列（文字列等）を検索して同一文字列等を得る検索手段５０と、検索された同一文字列等に対して視認性向上処理を施す視認化手段６０とを備えていることを、主たる構成とする。
【００１８】
なお、図２〜９に示す処理手順は例であり、上記処理対象のドキュメントならびにそれに係るウィンドウ、上記小領域画像、および上記文字データの数は特に限定されない。また、図２〜９の各上段に示した符号は、後述する本発明同一文字列視認性向上方法における各過程Ｓ１等を表す。
【００１９】
かかる構成により本同一文字列視認性向上システム１００では、イメージ変換手段１０において、処理対象の一または複数のドキュメントに係るウィンドウ１Ａ等の全てを包含する領域が画像データ化されて全体画像１Ｈが生成し、小領域認識手段２０において、全体画像１Ｈが小領域に分割されて認識され小領域画像２Ａ等が生成し、文字認識手段３０において、文字認識アルゴリズムにより各小領域画像２Ａ等中の文字認識がなされて文字データ３Ａ等が生成し、保存手段４０において、各文字データ３Ａ等が保存され、検索手段５０において、保存されている各文字データ３Ａ等から文字列等が所定条件にて検索されて同一文字列等が抽出され、視認化手段６０において、検索された同一文字列等に対して視認性向上処理が施される。このようにして、コンピュータのディスプレイ９上の表示内容における同一文字列等の視認性が高められる。
【００２０】
以上の処理手順はすなわち、本発明の同一文字列視認性向上方法でもあるが、これは図１０においては次のように示される。すなわち、処理対象のドキュメントＯに係るウィンドウの全てを包含する領域を画像データ化して全体画像１（１Ｈ）を得るイメージ変換過程Ｓ１と、全体画像１をこれに含まれるウィンドウごとの領域（小領域）に分割して認識し小領域画像２を得る小領域認識過程Ｓ２と、文字認識アルゴリズムを用いて各小領域画像２中の文字認識を行い文字データ３を得る文字認識過程Ｓ３と、各文字データ３を保存する保存過程Ｓ４と、保存されている各文字データ３から特定の一文字、もしくは特定の複数文字からなる文字列（文字列等）を検索して同一文字列等５を得る検索過程Ｓ５と、検索された同一文字列等５に対して視認性向上処理を施す視認化過程Ｓ６とを備え、コンピュータのディスプレイ表示内容における同一文字列等の視認性が高められた処理後のドキュメントＰが得られる、同一文字列視認性向上方法である。
【００２１】
図２には、本発明による処理開始前の、ディスプレイ９上における処理対象のドキュメントＯに係るウィンドウ１Ａ、１Ｂ等を示す。このようにＰＣ等の画面上に、数個の、しかも場合によっては数種類のアプリケーションによるウィンドウ１Ａ等を表示したままで、ウィンドウ間に亘る作業を行うことは、通常になされることである。
【００２２】
図３に示すようにイメージ変換過程Ｓ１では、イメージ変換手段（図１の「１０」）によって処理対象のドキュメントＯに係るウィンドウの全てを包含する領域がそのままの形態で画像データ化されて全体画像１Ｈ（図１０の「１」）が生成される。
【００２３】
図４に示すように小領域認識過程Ｓ２では、小領域認識手段（図１の「２０」）によって、全体画像１Ｈがこれに含まれるウィンドウ１Ａ、１Ｂ等ごとの領域である小領域に分割して認識され、小領域画像２Ａ、２Ｂ等（図１０の「２」）が生成される。つまり、全体画像１Ｈは、ドキュメントごとの領域に分割される。
【００２４】
図５に示すように文字認識過程Ｓ３では、ＯＣＲ等の文字認識手段（図１の「３０」）によって、各小領域画像２Ａ等の中の文字認識が行われ、文字データ３Ａ、３Ｂ等（図１０の「３」）が得られる。つまり、各領域について、文字認識アルゴリズムによってテキストが作成される。
【００２５】
図６に示すように保存過程Ｓ４では、保存手段（図１の「４０」）によって、各文字データ３Ａ等が保存される。なお、各文字データ３Ａ等は、小領域ごとにデータベース化されるものとすることができる。この場合、各文字データ３Ａ等は、元の各小領域における位置情報とともに保存手段に保存されるようにする。つまり、テキストのイメージ上の位置情報も同時に保存し、その後の検索過程Ｓ５における検索処理を可能とするものである。
【００２６】
図７に示すように検索過程Ｓ５では、検索手段（図１の「５０」）によって、保存されている各文字データ３Ａ等から、特定の一文字もしくは特定の複数文字からなる文字列（文字列等）が、同一文字列等５として検索される。つまり、各領域におけるテキスト中の同一文字列等５が検索されて、リスト化される。
【００２７】
図８に示すように視認化過程Ｓ６では、視認化手段（図１の「６０」）によって、検索された同一文字列等５に対して視認性向上処理が施され、処理後の全体画像１Ｈ’が得られる。つまり、各領域のテキストの同一文字列等５がイメージ上で強調処理され、処理後の小領域２Ａ’、２Ｂ’等を含む全体画像１Ｈ’が作成される。
【００２８】
視認化手段６０では、全体画像１Ｈ上の各小領域２Ａ等等において、同一文字列等５が各小領域２Ａ等の他の部分から識別された形態に処理されるが、具体的には、前記位置情報に基づいて処理がなされるものとすることができる。
【００２９】
また、視認性向上処理は文字列等を強調する処理であり、たとえば、文字列等の背景に色をつける処理（ハイライト処理）、文字列等にアンダーラインを付す処理、または文字列等の色を変更する処理など、従来公知の手法を用いることができる。
【００３０】
図９に示すように、視認化手段６０によって視認性向上処理のなされた全体画像１Ｈ’は、出力手段によってディスプレイ９上に表示される。つまり、ディスプレイ表示内容における同一文字列等の視認性が高められた処理後のドキュメントＰが得られて、一連の処理は完了する。
【００３１】
なお図１０は、本発明視認性向上プログラムの構成を示すものでもある。コンピュータにより実行可能なディスプレイ表示内容における同一文字列等の視認性を高めるための同プログラムは、処理対象のドキュメントに係る全てのウィンドウにおける同一文字列等の視認性向上処理を、下記の過程＜Ａ＞〜＜Ｆ＞によって、該コンピュータに機能させ、処理後のドキュメントＰを得るものである。
【００３２】
＜Ａ＞  処理対象のドキュメントＯに係るウィンドウの全てを包含する領域を画像データ化して全体画像１を得るイメージ変換過程Ｓ１
＜Ｂ＞  全体画像１をこれに含まれる小領域に分割して認識し小領域画像２を得る小領域認識過程Ｓ２
＜Ｃ＞  文字認識アルゴリズムを用いて各小領域画像２中の文字認識を行い文字データ３を得る文字認識過程Ｓ３
＜Ｄ＞  各文字データ３を保存する保存過程Ｓ４
＜Ｅ＞  保存されている各文字データ３から特定の一文字、もしくは特定の複数文字からなる文字列（文字列等）を検索して同一文字列等５を得る検索過程Ｓ５
＜Ｆ＞  検索された同一文字列等５に対して視認性向上処理を施す視認化過程Ｓ６
【００３３】
また、同一文字列視認性向上プログラムが記録されたコンピュータ読み取り可能な記録媒体や、同上プログラムの格納されたコンピュータ、または同プログラムを実行可能なコンピュータも、本発明の範囲内である。さらに、同一文字列視認性向上システムを用いたドキュメント間情報対照方法もまた、本発明の範囲内である。
【産業上の利用可能性】
【００３４】
本発明の同一文字列視認性向上システム等によれば、ＰＣ等のディスプレイに表示されているドキュメントから、同一の文字列を認識し、ハイライト処理等の強調処理を用いて視認性を向上させることができ、多数の文字列から同一の文字列を探す際の作業性、正確性を向上させることができる。特に、部品リスト比較作業など、多数のドキュメントを表示して比較作業を行う必要がある場合に便利である。したがって、コンピュータ分野、コンピュータを用いる産業分野、および関連する全分野において、産業上利用性が高い発明である。
【符号の説明】
【００３５】
１、１Ｈ…全体画像データ（全体画像）
１Ａ、１Ｂ、１Ｃ、１Ｄ…処理対象のドキュメントに係るウィンドウ
１Ｈ’…処理後の全体画像データ（全体画像）
２、２Ａ、２Ｂ、２Ｃ、２Ｄ…小領域画像データ（小領域画像）
３、３Ａ、３Ｂ、３Ｃ、３Ｄ…文字データ
５…同一文字列等
９…ディスプレイ
１０…イメージ変換手段
２０…小領域認識手段
３０…文字認識手段
４０…保存手段
５０…検索手段
６０…視認化手段
１００…同一文字列視認性向上システム
Ｏ…処理対象のドキュメント
Ｐ…処理後のドキュメント
Ｓ１…イメージ変換過程
Ｓ２…小領域認識過程
Ｓ３…文字認識過程
Ｓ４…保存過程
Ｓ５…検索過程
Ｓ６…視認化過程
【図１】
2017049736.tif 000003
【図２】
2017049736.tif 000004
【図３】
2017049736.tif 000005
【図４】
2017049736.tif 000006
【図５】
2017049736.tif 000007
【図６】
2017049736.tif 000008
【図７】
2017049736.tif 000009
【図８】
2017049736.tif 000010
【図９】
2017049736.tif 000011
【図１０】
2017049736.tif 000012